(57)【要約】【課題】軸受駒体の誤った装着姿勢を直ちに判断でき、構成簡素で、組立て、分解、修理等が簡単に行え、耐久性に優れ、量産し易く、コストを低減でき、経済的な搬送ライン用チェーンを提供する。【解決手段】チェーン基体Ａの突出頭部１の湾曲周壁内に駒体装着空間を構成し、湾曲周壁には下部開放部分と後部開放部分を設け、湾曲周壁の内周表面に、下方に行くに従って漸次大径となるテーパー湾曲凹面５を設け、軸受駒体Ｂの外周表面に、下方に行くに従って漸次大径となるテーパー湾曲凸面１３を設け、軸受駒体Ｂの後面がわ上部に誤装着阻止突起１１を突設し、下部開放部分から軸受駒体Ｂを差込み装着する際に、軸受駒体Ｂの装着姿勢が誤った状態にある時は、誤装着阻止突起１１、或いは、テーパー湾曲凸面１３とテーパー湾曲凹面５により、軸受駒体Ｂが湾曲周壁の下部開放部分に差込み不能となるよう構成する。【選択図】図４
2005015224.tif 000002
【特許請求の範囲】
【請求項１】
チェーン基体と、隣設するチェーン基体相互を連結する軸ピンと、チェーン基体の前部に設けた駒体装着空間に旋回自在に装着されると共に軸ピンが貫通され、且つスプロケットに接触して、その回転力が伝達される軸受駒体とを備えた搬送ライン用チェーンであって、前記駒体装着空間は、チェーン基体のリンク部の前部に設けた突出頭部の湾曲周壁内に構成され、この湾曲周壁には、軸受駒体の差込み装着口となる下部開放部分と、この下部開放部分に連続する後部開放部分とを設け、湾曲周壁の内周表面には、下方に行くに従って漸次大径となるような誤装着防止用のテーパー湾曲凹面を設け、軸受駒体の外周表面には、下方に行くに従って漸次大径となると共に、前記テーパー湾曲凹面に略合致して旋回方向に摺接可能となるような誤装着防止用のテーパー湾曲凸面を設け、軸受駒体の後面がわ上部には、誤装着阻止突起を突設し、下部開放部分から駒体装着空間内に軸受駒体を差込み装着する際に、軸受駒体の装着姿勢が誤った状態にある時は、誤装着阻止突起、或いは、テーパー湾曲凸面とテーパー湾曲凹面によって、軸受駒体が湾曲周壁の下部開放部分に差込み不能となるように構成したことを特徴とする搬送ライン用チェーン。
【請求項２】
適宜合成樹脂製のチェーン基体と、隣設するチェーン基体相互を連結する軸ピンと、チェーン基体の前部に設けた駒体装着空間に旋回自在に装着されると共に軸ピンが貫通され、且つスプロケットに接触して、その回転力が伝達される軸受駒体とを備えた搬送ライン用チェーンであって、チェーン基体は、その上面に搬送物が載置されるトッププレート部と、このトッププレート部の下面に連設されると共に、チェーン基体相互を連結するリンク部とからなり、このリンク部は、トッププレート部下面の前端中央部から前方に突設される湾曲周壁を有する突出頭部と、トッププレート部下面の後端左右から後方に突設される一対の脚片部とからなり、突出頭部の湾曲周壁は、その内部が駒体装着空間となり、湾曲周壁の左右には、軸ピンが遊挿されると共に、前後方向に長い長孔が穿設され、更に、湾曲周壁には、軸受駒体の差込み装着口となる下部開放部分と、この下部開放部分に連続すると共に、スプロケットの一部が通過可能となる後部開放部分とを設け、湾曲周壁の内周表面には、下方に行くに従って漸次大径となるような誤装着防止用のテーパー湾曲凹面を設け、軸受駒体の外周表面には、下方に行くに従って漸次大径となると共に、前記テーパー湾曲凹面に略合致して旋回方向に摺接可能となるような誤装着防止用のテーパー湾曲凸面を設け、軸受駒体の後面がわ上部には、湾曲周壁の後部開放部分に位置するようになる誤装着阻止突起を突設し、下部開放部分から駒体装着空間内に軸受駒体を差込み装着する際に、軸受駒体の装着姿勢が前後方向で誤った状態にある時は、誤装着阻止突起が湾曲周壁の下端縁部分に当接して、軸受駒体が湾曲周壁の下部開放部分に差込み不能となるように構成し、軸受駒体の装着姿勢が上下方向で誤った状態にある時は、テーパー湾曲凸面とテーパー湾曲凹面の最大径部分が当接して、軸受駒体が湾曲周壁の下部開放部分に差込み不能となるように構成したことを特徴とする搬送ライン用チェーン。
【発明の詳細な説明】
【技術分野】
【０００１】
本発明は、例えば、飲料品や、食品や、医薬品や、その他の適宜搬送物を搬送できるように構成されたラインに使用される各種搬送ライン用チェーンであって、複数のチェーン基体相互を無端状に連結するための軸ピンが貫通されると共に、チェーンを駆動せしめるスプロケットに接触して、スプロケットの回転力が伝達されるように形成した軸受駒体が、チェーン基体の駒体装着空間に誤装着されるのを確実に阻止できるように工夫した搬送ライン用チェーンに関するものである。
【背景技術】
【０００２】
従来、この種の搬送ライン用チェーンとしては、例えば、図５に示すような搬送ライン用チェーンがあり、これは、チェーン基体２１の前部に設けた駒体装着空間に軸受駒体２２を旋回自在に装着すると共に、軸受駒体２２及び隣設するチェーン基体２１相互を軸ピン２３で貫通せしめるようにして、チェーン基体２１相互を無端状に連結したもので、軸受駒体２２は、その後部がスプロケット２０に接触するように構成されており、スプロケット２０の回転力がスムーズに伝達できるように構成されている（図５（Ｉ）参照）。
【０００３】
ところで、前記搬送ライン用チェーンにあっては、軸受駒体２２を誤った向きで駒体装着空間に装着してしまうと、スプロケット２０との噛合いがスムーズに行われなくなり、搬送ライン用チェーン或いはスプロケット２０を損傷する難点があった（図５（II）参照）。
【０００４】
そこで、特許文献１に示すような搬送用チェーンが創出されるようになった。そして、この搬送用チェーンは、ピン用長孔及び軸受体用の筒孔を有する略々円筒状の頭部と、該頭部にチェーン長手方向に延設された、ピン孔を有する一対の脚部とからなるリンク本体が、トッププレートの下面に設けられることによりリンクが構成され、該リンク本体の頭部の筒孔内に、ピン用貫通孔を有する回転可能な軸受体が装着され、該軸受体が装着された一方のリンクの頭部が隣接する他方のリンクの一対の脚部間に配設された状態で、前記一対の脚部間に亘って設けられた連結ピンにより、リンクどうしが無端状に連結されてなる搬送用チェーンにおいて、前記頭部の筒孔及び前記軸受体には、軸受体の誤着防止手段が設けられたものである。
【０００５】
更に、前記軸受体の誤着防止手段は、前記頭部の筒孔に設けられた凹凸部と、前記軸受体に設けられた凹凸部とで構成され、誤った向きに軸受体が筒孔に挿入されたとき、これら凹凸部の凸部どうしが当接することにより、軸受体の誤着を防止するようにしたものである。しかも、誤った向きに軸受体が筒孔に挿入されたことは、頭部のピン用長孔と軸受体のピン用貫通孔との位置ずれによって、連結ピンの挿入ができなくなることで、判断できるように構成してある。
【０００６】
【特許文献１】特開２００３−１２８２２１号公報
【発明の開示】
【発明が解決しようとする課題】
【０００７】
ところが、前述の如き搬送用チェーンにあっては、軸受体の殆どの部分が頭部の筒孔に挿入され、しかも、頭部のピン用長孔と軸受体のピン用貫通孔に連結ピンが挿入できないことを確認してからでないと、誤った装着状態であることが判断できない難点があった。すなわち、誤った装着状態であることが判断できるようになるまで時間がかかる難点があった。
【０００８】
また、誤った装着状態の軸受体を頭部の筒孔から取出す作業が行い難い難点等もあった。すなわち、軸受体自体が比較的小さく、筒孔内に隙間なく挿入されることと、軸受体自身が、摩擦抵抗軽減のために含油状態に形成されたり、或いは滑り易い合成樹脂材等によって構成されること等によって、頭部の筒孔に誤って一旦嵌め込まれた軸受体を取出すことは容易ではなかった。
【課題を解決するための手段】
【０００９】
そこで、本発明は、前述の如き難点等を解消すると共に、軸受駒体が誤った装着姿勢で駒体装着空間に装着されようとする際には、駒体装着空間の入り口部分（湾曲周壁の下部開放部分）で軸受駒体の差込みが確実に阻止されるようにして、軸受駒体が誤った装着姿勢であることを直ちに判断できるようにすべく創出されたもので、本発明の請求項１記載の搬送ライン用チェーンにあっては、チェーン基体Ａと、隣設するチェーン基体Ａ相互を連結する軸ピンＣと、チェーン基体Ａの前部に設けた駒体装着空間に旋回自在に装着されると共に軸ピンＣが貫通され、且つスプロケットに接触して、その回転力が伝達される軸受駒体Ｂとを備えた搬送ライン用チェーンであって、前記駒体装着空間は、チェーン基体Ａのリンク部Ａ１の前部に設けた突出頭部１の湾曲周壁内に構成され、この湾曲周壁には、軸受駒体Ｂの差込み装着口となる下部開放部分と、この下部開放部分に連続する後部開放部分とを設け、湾曲周壁の内周表面には、下方に行くに従って漸次大径となるような誤装着防止用のテーパー湾曲凹面５を設け、軸受駒体Ｂの外周表面には、下方に行くに従って漸次大径となると共に、前記テーパー湾曲凹面５に略合致して旋回方向に摺接可能となるような誤装着防止用のテーパー湾曲凸面１３を設け、軸受駒体Ｂの後面がわ上部には、誤装着阻止突起１１を突設し、下部開放部分から駒体装着空間内に軸受駒体Ｂを差込み装着する際に、軸受駒体Ｂの装着姿勢が誤った状態にある時は、誤装着阻止突起１１、或いは、テーパー湾曲凸面１３とテーパー湾曲凹面５によって、軸受駒体Ｂが湾曲周壁の下部開放部分に差込み不能となるように構成する手段を採用した。
【００１０】
また、請求項２記載の搬送ライン用チェーンにあっては、適宜合成樹脂製のチェーン基体Ａと、隣設するチェーン基体Ａ相互を連結する軸ピンＣと、チェーン基体Ａの前部に設けた駒体装着空間に旋回自在に装着されると共に軸ピンＣが貫通され、且つスプロケットに接触して、その回転力が伝達される軸受駒体Ｂとを備えた搬送ライン用チェーンであって、チェーン基体Ａは、その上面に搬送物が載置されるトッププレート部Ａ２と、このトッププレート部Ａ２の下面に連設されると共に、チェーン基体Ａ相互を連結するリンク部Ａ１とからなり、このリンク部Ａ１は、トッププレート部Ａ２下面の前端中央部から前方に突設される湾曲周壁を有する突出頭部１と、トッププレート部Ａ２下面の後端左右から後方に突設される一対の脚片部２とからなり、突出頭部１の湾曲周壁は、その内部が駒体装着空間となり、湾曲周壁の左右には、軸ピンＣが遊挿されると共に、前後方向に長い長孔３が穿設され、更に、湾曲周壁には、軸受駒体Ｂの差込み装着口となる下部開放部分と、この下部開放部分に連続すると共に、スプロケットの一部が通過可能となる後部開放部分とを設け、湾曲周壁の内周表面には、下方に行くに従って漸次大径となるような誤装着防止用のテーパー湾曲凹面５を設け、軸受駒体Ｂの外周表面には、下方に行くに従って漸次大径となると共に、前記テーパー湾曲凹面５に略合致して旋回方向に摺接可能となるような誤装着防止用のテーパー湾曲凸面１３を設け、軸受駒体Ｂの後面がわ上部には、湾曲周壁の後部開放部分に位置するようになる誤装着阻止突起１１を突設し、下部開放部分から駒体装着空間内に軸受駒体Ｂを差込み装着する際に、軸受駒体Ｂの装着姿勢が前後方向で誤った状態にある時は、誤装着阻止突起１１が湾曲周壁の下端縁部分に当接して、軸受駒体Ｂが湾曲周壁の下部開放部分に差込み不能となるように構成し、軸受駒体Ｂの装着姿勢が上下方向で誤った状態にある時は、テーパー湾曲凸面１３とテーパー湾曲凹面５の最大径部分が当接して、軸受駒体Ｂが湾曲周壁の下部開放部分に差込み不能となるように構成する手段を採用した。
【発明の効果】
【００１１】
従って、本発明の請求項１記載の搬送ライン用チェーンは、チェーン基体Ａと、隣設するチェーン基体Ａ相互を連結する軸ピンＣと、チェーン基体Ａの前部に設けた駒体装着空間に旋回自在に装着されると共に軸ピンＣが貫通され、且つスプロケットに接触して、その回転力が伝達される軸受駒体Ｂとを備えた搬送ライン用チェーンであって、前記駒体装着空間は、チェーン基体Ａのリンク部Ａ１の前部に設けた突出頭部１の湾曲周壁内に構成され、この湾曲周壁には、軸受駒体Ｂの差込み装着口となる下部開放部分と、この下部開放部分に連続する後部開放部分とを設け、湾曲周壁の内周表面には、下方に行くに従って漸次大径となるような誤装着防止用のテーパー湾曲凹面５を設け、軸受駒体Ｂの外周表面には、下方に行くに従って漸次大径となると共に、前記テーパー湾曲凹面５に略合致して旋回方向に摺接可能となるような誤装着防止用のテーパー湾曲凸面１３を設け、軸受駒体Ｂの後面がわ上部には、誤装着阻止突起１１を突設し、下部開放部分から駒体装着空間内に軸受駒体Ｂを差込み装着する際に、軸受駒体Ｂの装着姿勢が誤った状態にある時は、誤装着阻止突起１１、或いは、テーパー湾曲凸面１３とテーパー湾曲凹面５によって、軸受駒体Ｂが湾曲周壁の下部開放部分に差込み不能となるように構成したので、軸受駒体Ｂが誤った装着姿勢で駒体装着空間に装着されようとする際には、駒体装着空間の入り口部分（湾曲周壁の下部開放部分）で軸受駒体Ｂの差込みが確実に阻止されるようになり、軸受駒体Ｂが誤った装着姿勢であることを直ちに判断できるようになる。すなわち、誤った装着状態であることが判断できるようになるまで時間がかかった従来の難点や、誤った装着状態の軸受体を頭部の筒孔から取出す作業が行い難い従来の難点等を確実に解消することができるものとなる。
しかも、構成が簡素となり、その組立てや、分解や、修理等が簡単に行えるようになり、耐久性に優れ、量産し易く、コストの低減が可能となり、経済的にも優れた搬送ライン用チェーンとなる。
【００１２】
また、本発明の請求項２の搬送ライン用チェーンは、適宜合成樹脂製のチェーン基体Ａと、隣設するチェーン基体Ａ相互を連結する軸ピンＣと、チェーン基体Ａの前部に設けた駒体装着空間に旋回自在に装着されると共に軸ピンＣが貫通され、且つスプロケットに接触して、その回転力が伝達される軸受駒体Ｂとを備えた搬送ライン用チェーンであって、チェーン基体Ａは、その上面に搬送物が載置されるトッププレート部Ａ２と、このトッププレート部Ａ２の下面に連設されると共に、チェーン基体Ａ相互を連結するリンク部Ａ１とからなり、このリンク部Ａ１は、トッププレート部Ａ２下面の前端中央部から前方に突設される湾曲周壁を有する突出頭部１と、トッププレート部Ａ２下面の後端左右から後方に突設される一対の脚片部２とからなり、突出頭部１の湾曲周壁は、その内部が駒体装着空間となり、湾曲周壁の左右には、軸ピンＣが遊挿されると共に、前後方向に長い長孔３が穿設され、更に、湾曲周壁には、軸受駒体Ｂの差込み装着口となる下部開放部分と、この下部開放部分に連続すると共に、スプロケットの一部が通過可能となる後部開放部分とを設け、湾曲周壁の内周表面には、下方に行くに従って漸次大径となるような誤装着防止用のテーパー湾曲凹面５を設け、軸受駒体Ｂの外周表面には、下方に行くに従って漸次大径となると共に、前記テーパー湾曲凹面５に略合致して旋回方向に摺接可能となるような誤装着防止用のテーパー湾曲凸面１３を設け、軸受駒体Ｂの後面がわ上部には、湾曲周壁の後部開放部分に位置するようになる誤装着阻止突起１１を突設し、下部開放部分から駒体装着空間内に軸受駒体Ｂを差込み装着する際に、軸受駒体Ｂの装着姿勢が前後方向で誤った状態にある時は、誤装着阻止突起１１が湾曲周壁の下端縁部分に当接して、軸受駒体Ｂが湾曲周壁の下部開放部分に差込み不能となるように構成し、軸受駒体Ｂの装着姿勢が上下方向で誤った状態にある時は、テーパー湾曲凸面１３とテーパー湾曲凹面５の最大径部分が当接して、軸受駒体Ｂが湾曲周壁の下部開放部分に差込み不能となるように構成したので、軸受駒体Ｂが誤った装着姿勢で駒体装着空間に装着されようとする際には、駒体装着空間の入り口部分（湾曲周壁の下部開放部分）で軸受駒体Ｂの差込みが確実に阻止されるようになり、軸受駒体Ｂが誤った装着姿勢であることを直ちに判断できるようになる。すなわち、誤った装着状態であることが判断できるようになるまで時間がかかった従来の難点や、誤った装着状態の軸受体を頭部の筒孔から取出す作業が行い難い従来の難点等を確実に解消することができるものとなる。
しかも、構成が簡素となり、その組立てや、分解や、修理等が簡単に行えるようになり、耐久性に優れ、量産し易く、コストの低減が可能となり、経済的にも優れた搬送ライン用チェーンとなる。
【発明を実施するための最良の形態】
【００１３】
以下、本発明を図示例に基づいて説明すると、次の通りである。
本発明は、例えば、飲料品や、食品や、医薬品や、その他の適宜搬送物を三次元的に或いは二次元的に搬送できるように構成されたラインに使用される各種搬送ライン用チェーンであって、適宜合成樹脂製（合成樹脂製でなくても良い）のチェーン基体Ａ相互を、適宜金属製（金属製でなくても良い）の軸ピンＣ及び適宜合成樹脂製（合成樹脂製でなくても良い）の軸受駒体Ｂを介して無端状に連結したものである。
そして、軸受駒体Ｂは、複数のチェーン基体Ａ相互を無端状に連結するための軸ピンＣが貫通されると共に、チェーン基体Ａの前部に設けた駒体装着空間に旋回自在に装着され、しかも、チェーンを駆動せしめるスプロケットに接触して、スプロケットの回転力が伝達されるように形成されており、この軸受駒体Ｂが、チェーン基体Ａに設けた駒体装着空間に誤装着されるのを確実に阻止できるように構成したことを特徴とするものである。
【実施例１】
【００１４】
具体的には、前記駒体装着空間は、チェーン基体Ａのリンク部Ａ１の前部に設けた突出頭部１の湾曲周壁内に構成され、この湾曲周壁には、軸受駒体Ｂの差込み装着口となる下部開放部分と、この下部開放部分に連続すると共に、スプロケットの一部が通過可能となる後部開放部分とを設け、湾曲周壁の内周表面には、下方に行くに従って漸次大径となるような誤装着防止用のテーパー湾曲凹面５を設けてある。
【００１５】
一方、軸受駒体Ｂの外周表面には、下方に行くに従って漸次大径となると共に、前記テーパー湾曲凹面５に略合致して旋回方向に摺接可能となるような誤装着防止用のテーパー湾曲凸面１３を設け、しかも、軸受駒体Ｂの後面がわ上部には、湾曲周壁の後部開放部分に位置するようになる誤装着阻止突起１１を突設してある。
そして、下部開放部分から駒体装着空間内に軸受駒体Ｂを差込み装着する際に、軸受駒体Ｂの装着姿勢が前後方向で誤った状態にある時は、誤装着阻止突起１１が湾曲周壁の下端縁部分に当接して、軸受駒体Ｂが湾曲周壁の下部開放部分に差込み不能となるように構成し、軸受駒体Ｂの装着姿勢が上下方向で誤った状態にある時は、テーパー湾曲凸面１３とテーパー湾曲凹面５の最大径部分が当接して、軸受駒体Ｂが湾曲周壁の下部開放部分に差込み不能となるように構成されている。尚、湾曲周壁の内周表面のテーパー湾曲凹面５と、軸受駒体Ｂの外周表面のテーパー湾曲凹面５は、そのテーパー部に於ける外郭ラインが図示例のような直線的なものでも良いし、或いは、適宜曲線的なものであっても良いし、その他の形状のものでも良い（図示せず）。
【００１６】
前記チェーン基体Ａは、その上面に搬送物が載置されるトッププレート部Ａ２と、このトッププレート部Ａ２の下面に連設されると共に、チェーン基体Ａ相互を連結するリンク部Ａ１とが一体的に構成されたものである。更に、このリンク部Ａ１は、トッププレート部Ａ２下面の前端中央部から前方に突設される湾曲周壁を有する突出頭部１と、トッププレート部Ａ２下面の後端左右から後方に突設される一対の脚片部２とからなっている。
【００１７】
また、前記突出頭部１の湾曲周壁は、その内部が駒体装着空間となり、軸ピンＣが貫通される軸受駒体Ｂが旋回可能に装着されており、湾曲周壁の左右には、軸ピンＣが遊挿される前後方向に長い長孔３が穿設されている。尚、突出頭部１の上面は、例えば、軸ピンＣの軸心を中心とするような略円弧面状に形成されると共に、トッププレートＡ２の上面に滑らかに連続するように形成されている。
【００１８】
ところで、チェーン基体Ａは、図示例のように適宜合成樹脂材で一体的に構成したものでも良いし、或いは、別体としたトッププレート部Ａ２を、リンク部Ａ１の上に固定できるように構成したものでも良いし、その他適宜自由に設定、変更できるものである。
【００１９】
前記リンク部Ａ１は、チェーン基体Ａ相互を確実に且つ簡単に連結するもので、図示例では、底面略Ｃ字状を呈する湾曲周壁からなる突出頭部１の後端がわ両端部分に、相互に略平行となると共に、突出頭部１を挟めるような間隔に配される一対の脚片部２を夫々連設して構成されている。
そして、突出頭部１は、その前方と左右側部が湾曲周壁で覆われ、その上部が湾曲壁で覆われ、その下部と後方が開放された状態に形成されている。しかも、この突出頭部１に穿設した左右の長孔３は、チェーン基体Ａ相互が水平方向で揺動したときに軸ピンＣの可動範囲（チェーン基体Ａ相互の揺動範囲）を規制できるように形成されている。
【００２０】
また、リンク部Ａ１の脚片部２の後端寄りには、軸ピンＣの両端部分が嵌挿される嵌挿孔４が穿設されている。
【００２１】
前記トッププレート部Ａ２は、例えば、略偏平板状を呈し、その前端縁部分は、平面から見て進行方向に対して直角に形成され、その後端縁中央部分は、平面から見て湾曲した湾曲凹部となり、後端縁左右部分は、左右端に行くに従って漸次前端縁がわに接近するように僅かに傾斜した状態に形成されている。しかも、その前端縁左右部分の上面がわには、上がわ傾斜面が形成され、その前端縁左右部分の下面がわには、下がわ傾斜面が形成されており、この前端縁左右部分を側面から見ると略く字状に突出するように形成されている。
また、トッププレート部Ａ２の後端縁中央部分の下面がわには、突出頭部１上面の湾曲状態に合致するような凹部傾斜面が形成されており、トッププレート部Ａ２の後端縁左右部分には、傾斜凹部が形成されており、この後端縁左右部分を側面から見ると略く字状に窪むように形成されている。
【００２２】
前記軸受駒体Ｂは、例えば、突出頭部１の湾曲周壁内に収容されると共に、突出頭部１内を左右に滑らかに旋回できるような略テーパー円柱状に形成され、その周壁中央部分に軸ピンＣが貫通可能な丸孔状の挿通孔１０が穿設されている。しかも、その後部は、平坦状に形成されると共に、この平坦部分の上部に略矩形小片状の誤装着阻止突起１１が後方に向って突設されている。
また、平坦部分の下部及び下面部分の後半分に跨るように湾曲面１２が形成されており、この湾曲面１２は、スプロケットの歯部にスムーズに噛合うように形成されている。
更に、軸受駒体Ｂの外周表面の前がわ及び左右側部が、前記テーパー湾曲凹面５に合致するテーパー湾曲凸面１３となっている。
【００２３】
前記軸ピンＣは、例えば、略後端面がわが偏平な円柱状を呈している。尚、軸ピンＣの後端面がわ左右端近傍には、一対の抜止突部を突設せしめ、この抜止突部が、一対の脚片部２内側面に当接することで、脚片部２の嵌挿孔４から逸脱しないように形成しても良い。
【００２４】
ところで、搬送ライン用チェーンの具体的構成、形状、寸法、材質、チェーン基体Ａの具体的構成、形状、寸法、材質、リンク部Ａ１の具体的構成、形状、寸法、材質、トッププレート部Ａ２の具体的構成、形状、寸法、材質、配設位置、突出頭部１の具体的構成、形状、寸法、材質、配設位置、脚片部２の具体的構成、形状、寸法、材質、数、配設位置、長孔３の具体的構成、形状、寸法、配設位置、嵌挿孔４の具体的構成、形状、寸法、配設位置、テーパー湾曲凹面５の具体的構成、形状、寸法、軸受駒体Ｂの具体的構成、形状、寸法、材質、挿通孔１０の具体的構成、形状、寸法、配設位置、誤装着阻止突起１１の具体的構成、形状、寸法、材質、配設位置、湾曲面１２の具体的構成、形状、寸法、テーパー湾曲凸面１３の具体的構成、形状、寸法、軸ピンＣの具体的構成、形状、寸法、材質等は、図示例のもの等に限定されることなく適宜自由に設定、変更できるものである。
【図面の簡単な説明】
【００２５】
【図１】本発明の搬送ライン用チェーンを例示する分解斜視図である。
【図２】本発明の搬送ライン用チェーンを例示する底面図である。
【図３】本発明の搬送ライン用チェーンを例示する一部切欠側面図である。
【図４】本発明の搬送ライン用チェーンに於いて、軸受駒体が誤った装着姿勢にあってその差込みが阻止される状態を例示する一部切欠側面図である。
【図５】従来の搬送ライン用チェーンに於いてスプロケットとの噛合状態を例示する一部切欠側面図で、（Ｉ）は正常な噛合状態を例示し、（II）は軸受駒体の誤装着による異常な噛合状態を例示するものである。
【符号の説明】
【００２６】
Ａ      チェーン基体                  Ａ１    リンク部
Ａ２    トッププレート部
１      突出頭部                      ２      脚片部
３      長孔                          ４      嵌挿孔
５      テーパー湾曲凹面
Ｂ      軸受駒体
１０    挿通孔                        １１    誤装着阻止突起
１２    湾曲面                        １３    テーパー湾曲凸面
Ｃ      軸ピン
２０    スプロケット                  ２１    チェーン基体
２２    軸受駒体                      ２３    軸ピン
【図１】
2005015224.tif 000003
【図２】
2005015224.tif 000004
【図３】
2005015224.tif 000005
【図４】
2005015224.tif 000006
【図５】
2005015224.tif 000007